(57)【特許請求の範囲】
【請求項１】
箱部材（２０）の内側中央部に設けられた筒状突起部（２２）に、蓋部材（１０）の裏面に設けられた軸部（１２）を挿入し、前記箱部材（２０）に内蔵されたスプリング（２３）によって前記蓋部材（１０）を上方に付勢した状態で、前記軸部（１２）に設けられた突起部（１４）と、前記筒状突起部（２２）に設けられた嵌合部（２４）とが係合することによって前記蓋部材（１０）が閉鎖される小物収容箱（１）であって、
前記箱部材（２０）に、前記突起部（１４）と同一半径であって前記軸部（１２）と同心円上にジグザグ状のリング部（２５）を形成し、前記蓋部材（１０）を押し下げた際に、前記突起部（１４）が前記リング部（２５）の傾斜部を移動することによって前記蓋部材（１０）が回動し、前記突起部（１４）と前記嵌合部（２４）との係合状態が解除されるように構成したことを特徴とする小物収容箱。
【請求項２】
前記嵌合部（２４）は、閉鎖状態の時に前記突起部が上端部において係止される凹部（２４a）と、該凹部（２４a）から連続する傾斜部（２４b）とを有することを特徴とする請求項１に記載の小物収容箱。  
【発明の詳細な説明】
【技術分野】
【０００１】
本発明は、クリップ類等の小物を収容する容器に関し、特に、収容物を取り出し易い小物収容箱に関する。
【背景技術】
【０００２】
クリップ等の事務用小物を収容する容器については、倒れても内容物が零れないように、特許文献1に示すように、蓋で封鎖されているものが多い。また、特許文献１及び特許文献２に示すように、転倒した場合でも内容物が零れないよう、内部に磁石等を設け、クリップ等の磁性体からなる内容物を吸着させるようにしたものも提案されている。
【特許文献１】特開２００３−２４６３７８号公報
【特許文献２】実開平７−４２７０４号公報
【発明の開示】
【発明が解決しようとする課題】
【０００３】
しかしながら、特許文献１に示す小物収容箱は、蓋を上方に持ち上げなければ、容器を開放することができないので、容器内の小物を迅速に取り出すことができない。
また、特許文献２に示す小物収容箱は、転倒しにくい容器構造ではあるが、万一転倒した場合は、磁力が及んでいない小物については、容器から零れ出す可能性がある。
【０００４】
そこで、本発明は、簡単な動作で蓋を開放することができ、容器が転倒しても内容物が零れ出にくい小物収容箱の提供を目的とする。
【課題を解決するための手段】
【０００５】
上記課題を解決するために、本発明は、箱部材の内側中央部に設けられた筒状突起部に、蓋部材の裏面に設けられた軸部を挿入し、前記箱部材に内蔵されたスプリングによって前記蓋部材を上方に付勢した状態で、前記軸部に設けられた突起部と、前記筒状突起部に設けられた嵌合部とが係合することによって前記蓋部材が閉鎖される小物収容箱であって、前記箱部材に、前記突起部と同一半径であって前記軸部と同心円上にジグザグ状のリング部を形成し、前記蓋部材を押し下げた際に、前記突起部が前記リング部の傾斜部を移動することによって前記蓋部材が回動し、前記突起部と前記嵌合部との係合状態が解除されるように構成したことを特徴とするものである。
【０００６】
この場合、記嵌合部は、閉鎖状態時に前記突起部が上端部において係止される凹部と、凹部から連続する傾斜部とを有するものであってもよい。
【発明の効果】
【０００７】
請求項１に係る小物収容箱は、箱部材の内側中央部に設けられた筒状突起部に、蓋部材の裏面に設けられた軸部を挿入し、箱部材に内蔵されたスプリングによって蓋部材が上方に付勢された状態のもと、蓋部材を回動させることによって、蓋部材裏面の軸部と、箱部材内側の筒状突起部とが嵌合するので、簡単な操作で容器を封鎖することができる。
また、蓋部材を押し下げた状態で、蓋部材を回動させることによって、スプリングの弾発力によって蓋部材が開放されるので、容器内の小物を瞬時に取り出すことができる。
これによって、片手での容器の開閉操作が可能となり、内容物を瞬時に取り出すことができるので、作業性が向上される。また、蓋の開閉操作に煩雑さを伴わないので、蓋が開放された状態で放置されることが少なく、容器が転倒した際に内容物が零れるといった事態が低減される。
特に、箱部材に、突起部と同一半径であって軸部材と同心円上に、ジグザグ状のリング部を形成したので、蓋部材を押し下げた際、突起部がジグザグ状のリングを移動することで、突起部が下降しながら横方向に移動するので、蓋封鎖時において突起部と嵌合部との嵌合が解除され、蓋が解放される。蓋部材を押し下げる操作のみで、自然に蓋部材が回転するので、箱の開閉操作が迅速にできる。
【０００８】
請求項２に係る発明は、嵌合部は、閉鎖状態時に前記突起部が上端部において係止される凹部と、凹部から連続する傾斜部とを有するので、蓋部を押し下げ動作によって、凹部に位置していた突起部が傾斜部を移動し、蓋部を自然に回転させることができる。
これによって、蓋部を意識的に回転させることなく、蓋部を押し下げる操作のみで、蓋を開放させることができる。
【発明を実施するための最良の形態】
【００１１】
本発明の好適な実施形態を、添付図面に基づいて説明する。なお、実施形態は以下の形態に限定されるものではなく、本発明の課題を解決し得るものであれば、他の態様も可能である。
【００１２】
図１、図２、図３及び図４は、本発明の実施形態に係る小物収容箱を示す斜視図、正面図、平面図、及び底面図である。なお、側面図と背面図は、正面図と同一に表れる。
この小物収容箱１は、蓋部材１０を箱部材２０に組み付けて構成されたものである。
蓋部材１０は、箱部材２０の開口部を封鎖可能な形状の上面部１１を有し、その裏面の中央部に、図５に示すように、軸部１２が設けられている。箱部材２０の内側中央部には、筒状の突起部２２が設けられており、この筒内に、蓋部材１０の裏面に設けられた軸部１２が挿入される。
【００１３】
軸部１２の内部は、図６に示すように、筒状になっており、中間位置に設けられた段差部１３から下が径の大きい筒状部となっている。そして、軸部１２の下端部には、外周の複数箇所に、周方向に突出した突起部１４が形成されている。この突起部１４は、筒状突起部２２に設けられた後述する嵌合部２４に嵌合することで、蓋部材１０の封鎖状態を維持させるための部位である。
箱部材２０は、丸みを帯びた直方体形状の外面の内側に、底部と側部とが滑らかに連続した湾曲状の内壁面を形成している。
【００１４】
この内壁面の中央に前記筒状突起部２２が突出形成されることによって、ドーナツ状の空間部からなる収容部２が形成されることとなる。筒状突起部２２の外周面には、図７に示すように、シート状の磁石２１が貼付されている。
筒状突起部２２の内部は、収容部の下方の容器の内部にまで延びている。
すなわち、箱部材の外壁と箱部材の内壁との間の空間部３の中央には、円柱状の壁４が設けられており、その壁４の内側において、筒状突起部２２から連続する空間部が形成されることとなる。
【００１５】
そして、この空間部に、蓋部材１０の軸部１２が上方から挿入され、下方位置まで押し下げられることで、図７に示すように、箱部材２０を蓋部材１０が封鎖することになる。
前記筒状突起部２２の空間部には、軸部に設けられた前記突起部１４が嵌合される嵌合部２４が形成されている。
以下、この突起部１４と嵌合部２４の構成を図８〜図１１を参照して説明する。
【００１６】
図８は、箱部材２０の内側中央部の筒状突起部２２に、蓋部材１０の裏面に設けられた軸部１２が挿入されている状態を示した拡大図である。
図８（ａ）は、箱部材２０に内蔵されたスプリング２３によって蓋部材１０が上方に付勢されることによって、蓋部材１０が開放されている状態を示し、（ｂ）は、蓋部材１０の軸部１２の外周面に設けられた突起部１４と、筒状突起部２２の内壁面に設けられた嵌合部２４とが係合することによって蓋部材１０が閉鎖されている状態を示す。
【００１７】
図９は、蓋開放時の状態を示す断面図である。
この状態の蓋部材１０を押圧すると、突起部１４が、その上端部において嵌合部２４に嵌合し、図１０に示すように、蓋を封鎖した状態で蓋部材１０と箱部材２０が固定される。
箱部材２０の筒状突起部２２の内部空間に形成された嵌合部２４は、突起部１４が係止される凹部２４ａと、凹部２４ａから連続する傾斜部２４ｂとによって構成されており、この封鎖時においては、突起部１４が凹部２４ａに係止された状態である。
【００１８】
箱部材２０の底部には、ジグザグ状のリング部２５が設けられている。このリング部２５は、突起部１４と同一半径であって軸部１２と同心円上に形成されている。
嵌合部２４とリング部２５の位置関係は、図１１に示すようになっている。
すなわち、蓋部材１０を押し下げた際に突起部１４が移動する通路２６に沿って、リブ状の嵌合部２４が形成されている。
【００１９】
そして、通路２６部の直下には、リング部２５の頂上から僅かに下がった地点が位置している。嵌合部２４とリング部２５との間は、突起部１４が移動可能な幅の通路となっている。
蓋部材１０を押し下げることによって、突起部１４が通路２６を移動して下降し、図１１（ａ）に示すように、ジグザグ状のリング部２５に当接する。この際、突起部１４の下端部は、リング部２５のジグザグ状の傾斜部の頂上付近の位置からリング部２５の傾斜部を移動しながら、横方向に進む。
【００２０】
そして、蓋部材１０を押し下げる力を解除した際に、スプリングの付勢力によって、上方の嵌合部２４の傾斜部２４ｂに当接しながら、凹部２４ａにて係止され（図１０（ｃ））、これによって、蓋が閉まるように構成されている。
この状態から蓋を開ける場合は、蓋部材１０を押し下げることによって、突起部１４が直下のリング部２５に当接し、ジグザグ状の傾斜部を移動することで、通路２６の位置に至る。この状態で、蓋部材１０の押圧を解除することで、スプリング２３の付勢力で通路２６に沿って上昇する。
【００２１】
このように、蓋部材１０を押し下げた際に、突起部１４の下端部においてジグザグ部の傾斜部に摺接しながら移動することで、蓋部材１０を押圧することで、突起部１４と嵌合部２４を嵌合させたり、嵌合を解除させたりすることができる。
これによって、蓋部材１０を回す操作を意識的に行うことなく、蓋部材１０を軸部１２を中心に回動させることができるように構成できる。
【００２２】
このように構成したので、蓋部材１０を押圧することによって、箱部材２０の底部に設けられたジグザグ状のリング部２５を突起部１４が移動し、蓋部材１０が回動し、突起部１４の上端部における嵌合部２４との係合状態が解除されたり、嵌合状態となったりするので、簡単な操作で蓋部材１０と箱部材２０とを強固に固定させることができる。
【産業上の利用可能性】
【００２３】
本発明は、小物を収容するための容器として、あらゆる産業分野で利用することができる。
【図面の簡単な説明】
【００２４】
【図１】本発明の実施形態に係る小物収容箱を示す斜視図である。
【図２】上記小物収容箱の正面図である。
【図３】上記小物収容箱の平面図である。
【図４】上記小物収容箱の底面図である。
【図５】上記小物収容箱の開放状態を示す斜視図である。
【図６】上記小物収容箱の開放状態を示す断面図である。
【図７】上記小物収容箱の封鎖状態を示す断面図である。
【図８】上記小物収容箱の突起部と嵌合部の状態を示す拡大斜視図であり、（ａ）は開放時の状態を示し、（ｂ）は封鎖時の状態を示す。
【図９】上記小物収容箱の開放時の状態を示す拡大断面図である。
【図１０】上記小物収容箱の封鎖時の状態を示す拡大断面図である。
【図１１】突起部と嵌合部とリング部との位置関係を示す説明図である。
【符号の説明】
【００２５】
１  小物収容箱
２  収容部
３  空間部
４  壁
１０  蓋部材
１１  上面部
１２  軸部
１３  段差部
１４  突起部
２０  箱部材
２１  磁石
２２  筒状突起部
２３  段差部
２４  嵌合部
２５  リング部
２６  通路
【図１】
0004993720.tif 000002
【図２】
0004993720.tif 000003
【図３】
0004993720.tif 000004
【図４】
0004993720.tif 000005
【図５】
0004993720.tif 000006
【図６】
0004993720.tif 000007
【図７】
0004993720.tif 000008
【図８】
0004993720.tif 000009
【図９】
0004993720.tif 000010
【図１０】
0004993720.tif 000011
【図１１】
0004993720.tif 000012